(57)【要約】【課題】  洗面所やトイレや浴室などで使用し湿ったタオルを乾かし、快適で衛生的なタオルがいつでも気持ちよく使用でき、洗濯し湿った衣類等を乾燥機等の設置場所をとらずに乾かす装置を提供する。【解決手段】  タオルや衣類等の被乾燥物の内側の下部や中間部に、熱源装置をタオルハンガーや衣類用ハンガーからフックにて設置し、この熱源装置から温風を上方へ吹出すファンを有することを特徴とする。【選択図】図１
2016140736.tif 000002
【特許請求の範囲】
【請求項１】
タオルや衣類等の被乾燥物の内側の下部や中間部に、熱源装置をタオルハンガーや衣類用ハンガーからフックにて設置し、この熱源装置から温風を上方へ吹出すファンを有することを特徴としたタオル衣類用ドライヤー。
【請求項２】
前記フックを、長さ調整ができる伸縮式構造とし、容易に設置位置を合わすことができるようにしたことを特徴とする請求項１記載のタオル衣類用ドライヤー。
【請求項３】
前記熱源装置のファンの風量を調整できるようにしたことを特徴とする請求項１ないし請求項２記載のタオル衣類用ドライヤー。
【請求項４】
前記熱源装置にタッチスイッチとジャイロセンサーを組込み、人が触れるあるいは揺れるとスイッチが入ることを特徴とする請求項１ないし請求項３のいずれかに記載のタオル衣類用ドライヤー。
【請求項５】
前記タッチスイッチと前記ジャイロセンサーに連動したタイマーをもたせたことを特徴とする請求項１ないし請求項４のいずれかに記載のタオル衣類用ドライヤー。
【請求項６】
前記熱源装置に除菌消臭剤やアロマオイルのフィルターをもたせたことを特徴とする請求項１ないし請求項５のいずれかに記載のタオル衣類用ドライヤー
【請求項７】
前記熱源装置を複数本設置することを特徴とする請求項１ないし請求項６のいずれかに記載のタオル衣類用ドライヤー。
【発明の詳細な説明】
【技術分野】
【０００１】  この発明は、湿ったタオルや衣類等を乾かす装置に関するものである。
【背景技術】
【０００２】  従来、洗面所やトイレや浴室などで、一度使用したタオルは湿ってしまった。また洗濯して湿った衣類等は乾燥に時間がかかっており、衣類用乾燥機等は乾燥装置の部分が大きく、設置場所や取付けに関して問題があった。【０００３】  例えば、特許文献１に開示の「タオル乾燥機」は、電動機と、この電動機によって空気を送風する送風用ファンと、そのファンで送風された風流を内部へ導く筒形パイプであって周面に複数の吹出口を有しその送風下流側が塞がれたパイプと、そのファンで送風される空気を加熱するヒータと、そのパイプ内に配置されそのファンで送風された風流によって回転しこの回転力をそのパイプの外へ出力する羽根車と、そのパイプの上側にこれと間隔を置いて平行かつ回転可能に配置されそのパイプとともに囲むようにリング状タオルが掛けられる棒状のタオル掛け部材と、その羽根車の回転力をそのタオル掛け部材に伝達してこれを回転させる回転力伝達部とを具備している。（「課題を解決するための手段」参照）とあるが、タオルを乾燥させる動作の多さや本体の設置場所をとること、リング状タオルが量産されていない等の問題があった。【０００４】  また、特許文献２に開示の「無騒音型タオル乾燥機」は、この伝熱ケース１は、高さ３６０ｍｍ、横幅３４０ｍｍ、奥行き６０ｍｍの薄型筐体を成しており、前面側の前記乾燥面１１の下部は中腹部の蝶番ｈ・ｈを支点として上下げ開閉可能な開閉蓋１１ａとなっている。（「００１５」中段参照）とあるが、タオルハンガー等より設置する上記の箱状の伝熱ケースの大きさが大きく、タオルの内側に設置されるため、使用時には指や手があたるおそれがあった。
【先行技術文献】
【特許文献】
【特許文献１】  特開２００３−４７５７２号公報
【特許文献２】  特開２００４−２２９７１７号公報
【発明の概要】
【発明が解決しようとする課題】
【０００５】  一度使用したタオルは湿ってしまい、次に使用する時には不快で不衛生になっていた。また、洗濯して湿った衣類等は乾燥までに時間がかかり大変不便であった。現状においての衣類用乾燥機は大きく設置場所や取付け等に問題があった。本発明は、以上のような欠点をなくすためになされたものである。
【課題を解決する為の手段】
【０００６】  上記課題を解決するため、タオルや衣類等の被乾燥物の下部や中間部より、熱源装置（１）をタオルハンガーや衣類用ハンガーからフック（４）にて設置し、静音ファン（２）より空気を取り込み、吹出し口（３）より上方へ温風を吹出すことを特徴としたタオル衣類用ドライヤーである。
【発明の効果】
【０００７】  使用したタオルをタオルハンガー等にかけた状態のまま乾かすことができ、快適で衛生的なタオルがいつでも使用できる。また、タオルの洗濯の頻度も軽減でき、大変経済的である。洗濯して濡れた衣類等も、衣類用ハンガーにかけた状態のまま短時間で乾燥でき大変便利である。特に室内での乾燥には適している。
【図面の簡単な説明】
【０００８】
【図１】  本発明のタオル使用時の斜視図である。
【図２】  本発明の衣類使用時の斜視図である。
【図３】  本発明の平面図である。
【図４】  本発明の正面図である。
【図５】  本発明の正面断面図である。
【図６】  本発明の側面図である。
【図７】  本発明の側面断面図である。
【図８】  本発明の温風の流れ図である。
【図９】  本発明のブロック図である。
【発明を実施するための形態】
【０００９】  以下、本発明を実施するための形態について説明する。
図１および図２に示すように、タオルハンガーや衣類用ハンガーから、熱源装置（１）をフック（４）で吊り下げ、静音ファン（２）から取り入れた空気を熱源装置（１）のあたためた空気に送り、吹出し口（３）より上方へ温風を吹出す構造である。
【００１０】  熱源装置（１）は、図５および図７に示すように、内部にコードヒーター（８）等を設置し、火傷や発火等のおこらない温度、約６０度前後の熱を発生させる。上部には均等に開口された吹出し口（３）を設ける。熱源装置（１）の両側には静音ファン（２）を取付け、空気を熱源装置（１）に送り、熱源装置（１）のあたためた空気を吹出し口（３）より上方へ送る。
【００１１】  熱源装置（１）の内部のコードヒーター（８）等は、図５および図７に示すように、熱源装置（１）の中央に設置したパイプ（７）のまわりに螺旋状に巻きつけ、内部の温度を均等にし、静音ファン（２）からの風量を通しやすくするよう考慮した。
【００１２】  静音ファン（２）は、開口部の調整ができる回転式開口部（９）をもっており、図６に示すように、これを回転し調整することにより、吹出し口（３）の風量が調整できる。風量が大きくなれば熱量が下がり、風量が小さくなれば熱量が上がる構造にした。
【００１３】  図５に示すように、静音ファン（２）の内側に設置するフィルター（１７）は、除菌消臭剤を使用すればより衛生的に使用でき、またアロマオイル等を使用すれば香りが楽しめるようにした。
【００１４】  図９に示すように、スイッチは、人が触れると作動するタッチスイッチ（５）と、タオル等を使用して、熱源装置（１）が揺れるとスイッチが入るジャイロセンサー（１０）を合わせ持つ構造。一定時間約１５分〜約３０分前後で切れるタイマー（６）の設置により経済的に使用が出来る。作動時にはＬＥＤ（１１）で点灯し、動作をしていることを示すようにした。
【００１５】  ２本のフック（４）は、上部を逆Ｕ型にしてあり、図６に示すように、タオルハンガーや衣類用ハンガー等に簡単に設置できる。長さ調整ができる伸縮式構造とし、目盛り（１２）の表示により２本のフック（４）長さが同じ長さに簡単に調整でき、タオルや衣類のサイズに容易に設置位置を合わすことができるようにした。
【００１６】  バスタオルや衣類等の大きいものは、下部と中間部に複数設置することにより、短時間で乾燥できるようにする。
【００１７】図８に示すように、温度の高い空気が上部へといく原理の応用を取り入れた発明である。タオルや衣類等の被乾燥物の内側に温風が上昇し滞留するので、乾燥効率を高める。
シンプルでコンパクトな形状なので、設置場所をとらず、生活シーンにとけ込むデザインである。使用しているタオルハンガーや衣類用ハンガーに簡単に設置でき、大変便利である。
【符号の説明】
【００１８】１  熱源装置
２  静音ファン
３  吹出し口
４  フック
５  タッチスイッチ
６  タイマー
７  パイプ
８  コードヒーター
９  回転式開口部
１０  ジャイロセンサー
１１  ＬＥＤ
１２  目盛り
１３  タオル
１４  温風の流れ
１５  タオルハンガー
１６  電源（ＡＣ１００Ｖ）
１７  フィルター
１８  衣類用ハンガー
１９  衣類
【図１】
2016140736.tif 000003
【図２】
2016140736.tif 000004
【図３】
2016140736.tif 000005
【図４】
2016140736.tif 000006
【図５】
2016140736.tif 000007
【図６】
2016140736.tif 000008
【図７】
2016140736.tif 000009
【図８】
2016140736.tif 000010
【図９】
2016140736.tif 000011